(57)【要約】【課題】食器洗い機における扉の閉状態における水封部材が水封部材装着部の段差の影響を受け均一にならず、扉の閉操作に大きな操作力が必要となる。【解決手段】食器を載置した食器かごを収納する洗浄槽と、前記洗浄槽の開口部を開閉自在に覆う扉と、扉の閉状態で前記洗浄槽と前記扉を水封する水封部材を備え、洗浄槽または扉のいずれか一方の開口部周囲の少なくとも一辺に水封部材装着部を備え、水封部材装着部を備えていない方に水封部材装着部と対をなし水封部材の水封部に対向する突起部を備えた食器洗い機において、突起部の少なくとも一部に突起の高さ方向の段差を設けた。【選択図】　図４
2004089281.tif 000002
【特許請求の範囲】
【請求項１】
食器を載置した食器かごを収納する洗浄槽と、前記洗浄槽の開口部を開閉自在に覆う扉と、前記扉の閉状態で前記洗浄槽と前記扉を水封する水封部材を備え、前記洗浄槽または前記扉のいずれか一方の開口部周囲の少なくとも一辺に水封部材装着部を備え、前記水封部材装着部を備えていない方に前記水封部材装着部と対をなし前記水封部材の水封部に対向する突起部を備えた食器洗い機において、前記突起部の少なくとも一部に突起の高さ方向の段差を設けたことを特徴とする食器洗い機。
【請求項２】
前記扉の閉状態において、前記水封部材装着部に嵌め込まれた前記水封部材に前記突起部先端が押付けられる際の押付代が水封部の全域にわたって略同一であることを特徴とする請求項１記載の食器洗い機。
【請求項３】
前記扉の閉状態において、前記水封部材装着部に嵌め込まれた前記水封部材に前記突起部先端が押付けられる際の押付代が部分的に異なることを特徴とする請求項１記載の食器洗い機。
【請求項４】
前記水封部材は短手方向の断面形状が略正方形状をなし、且つその断面形状が短手方向の断面すべてにおいて略同一であることを特徴とする請求項１記載の食器洗い機。
【発明の詳細な説明】
【０００１】
【発明の属する技術分野】
本発明は食器の洗浄を行う食器洗い機に関し、特にその食器洗い機に設けられる洗浄槽と扉の水封構造に関するものである。
【０００２】
【従来の技術】
従来の食器洗い機の一例をあげ、その構成および洗浄槽と扉との水封構造について説明する。
図６は従来の食器洗い機における内部構造図である。洗浄槽１は外装２によって覆われ、洗浄槽１の開口部の下部にて扉３の下端部を軸支し、扉３は洗浄槽１の開口部を下開き可能に覆っている。洗浄槽１内には食器かご４を出し入れ自在に設置し、食器かご４の下方に平面回転する回転ノズル５を配置し、洗浄槽１の下部にはポンプ６を配置している。前記ポンプ６はモーターの駆動方向を正転または逆転とすることによって、洗浄水の循環または排水を可能とするような機能を持ったポンプであり、ポンプ６から圧送された洗浄水は回転ノズル５より噴射され、食器かご４に収納された食器および調理器具を洗浄する。
【０００３】
洗浄中の洗浄水を水封する手段としては、図７に示すように、洗浄槽１の開口部近傍に水封部材装着部１１を設け、そこに一定の肉厚の水封部材１５を嵌め込み、扉３の内面に設けた一定の高さの突起部１２を水封部材１５に押付けることで、洗浄槽１と扉３を水封する構造が一般的である。
【０００４】
【発明が解決しようとする課題】
しかしながら従来のように一定の高さの突起部１２を一定の肉厚の水封部材１５に押付けて水封する構造では、例えば図２に示すように水封部材装着部が水封部材装着部（横）９と水封部材装着部（上）１０とを組合わせて構成されているような場合、各部材の重なりによって水封部材装着部（横）９と水封部材装着部（上）１０とで板厚分の段差が発生してしまう。
【０００５】
このような水封部材装着部に一定の肉厚の水封部材１５を嵌め込み、一定の高さの突起部１２を水封部材１５に押付けて水封しようとすると、図８に示すように、扉３の閉状態において、水封部材装着部（上）１０に嵌め込まれた水封部材１５への突起部１２の押付代ａが、水封部材装着部（横）９に嵌め込まれた水封部材１５への突起部１２の押付代ｂと比較して大きくなってしまうため、水封部材装着部（横）９における水封性能を確保するためには、水封部材装着部（上）１０における突起部１２の押付代が多くなり、扉３を閉める際に大きな操作力が必要となる。逆に、少ない操作力で扉３の閉動作を行なうためには、水封部材装着部（横）９における水封性能が低下してしまう恐れがあった。
【０００６】
本発明は上記従来の課題を解決するもので、扉３の閉状態において安定した水封性能を確保すると同時に、扉３の閉動作を行なう際の操作力を軽減し、使い勝手のよい食器洗い機を提供するものである。
【０００７】
【課題を解決するための手段、及び効果】
上記目的を達成するために、請求項１では、食器を載置した食器かごを収納する洗浄槽と、洗浄槽の開口部を開閉自在に覆う扉と、扉の閉状態で洗浄槽と扉を水封する水封部材を備え、洗浄槽または扉のいずれか一方の開口部周囲の少なくとも一辺に水封部材装着部を備え、水封部材装着部を備えていない方に水封部材装着部と対をなし水封部材の水封部に対向する突起部を備えた食器洗い機において、突起部の少なくとも一部に突起の高さ方向の段差を設けたことで、扉の閉状態における突起部の水封部材への押付代を均一にしたり部分的に増減することが可能となる。
【０００８】
請求項２では、扉の閉状態において、突起部先端が水封部材に押付けられる際の押付代を水封部材の全域にわたって略同一とすることで、扉の閉状態において安定した水封性能を確保できると同時に、扉の閉動作を行なう際の操作力を軽減することが可能となる。
【０００９】
請求項３では、扉の閉状態において、突起部先端が水封部材に押付けられる際の押付代を部分的に変化させることで、扉の閉状態において洗浄水が直撃する部位などの水封性能を向上させたり、高い水封性能を必要としない部位の水封性能を低下させて扉の閉動作を行なう際の操作力を軽減することが可能となる。
【００１０】
請求項４では、水封部材の短手方向の断面形状が略正方形状をなし、且つその断面形状が短手方向の断面すべてにおいて略同一とすることで、水封部材を水封部材装着部へ嵌め込む際に方向性を気にする必要がなくなるため作業性が向上する。
【００１１】
【発明の実施の形態】
以下、本発明の実施形態を、図面により詳細に説明する。なお、食器洗い機の基本的な構成、動作については従来例と同じであるため、説明を省略する。
【００１２】
図１は洗浄槽１の概略斜視図であり、洗浄槽１は側面および背面を構成する洗浄槽（横）７と天面を構成する洗浄槽（上）８を組合わせてなり、それぞれの開口部近傍には水封部材装着部（横）９および水封部材装着部（上）１０を備えている。水封部材装着部（横）９および水封部材装着部（上）１０により構成される水封部材装着部には、短手方向の断面形状が略正方形状を成す水封部材１５が洗浄槽１の左側面に設けた水封部材装着部（横）９の下端から水封部材装着部（上）１０を経由して洗浄槽１の右側面に設けた水封部材装着部（横）９の下端まで嵌め込まれている。
【００１３】
図２は図１に示す洗浄槽１の右上コーナー部を一部切除した斜視図であり、この図に示すように、水封部材装着部は洗浄槽１のコーナー部において水封部材装着部（横）９および水封部材装着部（上）１０を前後方向に重ね合わせて構成しているため、水封部材装着部（上）１０が水封部材装着部（横）９よりも部材の板厚分だけ扉３側に接近した状態となっている。
【００１４】
図３に示すように、扉３の内側に設けた突起部は洗浄槽１の天面部を水封するための天面突起部１４と洗浄槽の側面部を水封するための側面突起部１３とで構成されており、扉３の閉状態において、天面突起部１４は水封部材装着部（上）１０に嵌め込まれた水封部材１５に押付けられ、側面突起部１３は水封部材装着部（横）９に嵌め込まれた水封部材１５に押付けられることにより、扉３と洗浄槽１を水封する。側面突起部１３の高さと天面突起部１４の高さには前述の水封部材装着部（横）９と水封部材装着部（上）１０との段差と等しくなる段差２０を設けており、天面突起部１４の高さが側面突起部１３の高さよりも低い状態となっている。
【００１５】
したがって、図２のＡ−Ａ断面とＢ−Ｂ断面を表わす図４に示すように、扉３の閉状態において、天面突起部１４の水封部材１５への押付代ａと側面突起部１３の水封部材１５への押付代ｂが等しくなり、水封部材１５の全域にわたって押付代が均一となるため、扉３の閉状態において安定した水封性能を確保できると同時に、扉３の閉動作を行なう際の操作力を軽減することが可能となる。
【００１６】
さらに、突起部先端１７の断面形状を半円状とすることで、例えば従来例のように突起部先端１７の断面形状が平面状となっているものと比較して、水封部材１５の変形量が少なくなるため、水封部材１５の反発力が弱くなり、扉３の閉動作を行なう際の操作力をさらに軽減することが可能となる。本実施例では、突起部先端１７の断面形状を半円状としたが、突起部先端１７と水封部材１５との接触面積を小さくできるような先端形状であれば同様の効果が得られる。
【００１７】
また、本実施例では、扉３の突起部の段差２０を水封部材装着部の段差に合せて、水封部材１５への押付代を均一とし、安定した水封性能を確保し、扉３の操作力を軽減するような実施例を示したが、図５に示すように、突起部先端に凸状の段差１８を設けることで、水封性能を部分的に向上させることができるため、食器洗い機の運転時に洗浄水が直撃する部位の漏水防止などに有効である。逆に、食器洗い機の運転時に高い水封性能を必要としないような部位などの突起部先端に凹状の段差１９を設けることで、扉３の閉動作を行なう際の操作力をさらに軽減することが可能となる。
【００１８】
本発明では、突起部に段差を設けることにより、水封性能および扉３の閉動作における操作力を調整する方法を示したが、水封部材の厚みを部分的に増減させたり、水封部装着部に段差を持たせることによっても同様の効果が得られる。
【図面の簡単な説明】
【図１】本発明の実施形態における洗浄槽の概略斜視図
【図２】本発明の実施形態における洗浄槽の右上コーナー部を一部切除した斜視図
【図３】本発明の実施形態における扉の概略斜視図１
【図４】本発明の実施形態における水封部近傍の概略Ａ−Ａ、Ｂ−Ｂ断面図
【図５】本発明の実施形態における扉の概略斜視図２
【図６】従来の実施形態における食器洗い機の内部構造図
【図７】従来の実施形態における水封部近傍の概略断面図１
【図８】従来の実施形態における水封部近傍の概略Ａ−Ａ、Ｂ−Ｂ断面図２
【符号の説明】
１　…　洗浄槽
２　…　外装
３　…　扉
４　…　食器かご
５　…　回転ノズル
６　…　ポンプ
７　…　洗浄槽（横）
８　…　洗浄槽（上）
９　…　水封部材装着部（横）
１０…　水封部材装着部（上）
１１…　水封部材装着部
１２…　突起部（従来）
１３…　側面突起部
１４…　天面突起部
１５…　水封部材（本発明）
１６…　水封部材受け面
１７…　突起部先端
１８…　凸状の段差
１９…　凹状の段差
２０…　段差
【図１】
2004089281.tif 000003
【図２】
2004089281.tif 000004
【図３】
2004089281.tif 000005
【図４】
2004089281.tif 000006
【図５】
2004089281.tif 000007
【図６】
2004089281.tif 000008
【図７】
2004089281.tif 000009
【図８】
2004089281.tif 000010